(57)【要約】【課題】バスダクトのプラグインホールに位置する導体とプラグイン器具の導電性接続部材の間の電気的な接続が容易に行われ、且つ、接続されたプラグイン器具がバスダクトから外れないように確実に保持することができる、電源分岐器具を提供する。【解決手段】電源分岐用導体を収納する函体と、函体の一方の端部に配置され、プラグインホールに挿入されて、バスダクト内の導体と電気的に接続される少なくとも１つの導電性接続部材と、函体の一部に設けられ、電気的な接続・遮断を行う開閉器と、バスダクト内の導体と導電性接続部材が電気的に接続された状態で、バスダクトハウジングの外周部を覆うように配置されて、函体をバスダクトに固定する、開閉可能な固定金具とを備えた、電源分岐器具。【選択図】図１
2011024320.tif 000002
【特許請求の範囲】
【請求項１】
電源分岐用導体を収納する函体と、
前記函体の一方の端部に配置され、プラグインホールに挿入されて、バスダクト内の導体と電気的に接続される少なくとも１つの導電性接続部材と、
前記函体の一部に設けられ、電気的な接続・遮断を行う開閉器と、
前記バスダクト内の導体と前記導電性接続部材が電気的に接続された状態で、バスダクトハウジングの外周部を覆うように配置されて、前記函体を前記バスダクトに固定する、開閉可能な固定金具とを備えた、電源分岐器具。
【請求項２】
前記函体の側面に開口が設けられて、前記導電性接続部材が配置されていることを特徴とする、請求項１に記載の電源分岐器具。
【請求項３】
前記固定金具は、それぞれバスダクトハウジングの上面に沿って平行に延びる水平部と、バスダクトハウジングの側面に沿って平行に延びる垂直部と、前記函体に回転可能に取り付ける取り付け部を備えた、概ねコの字形の１対の対称的な金属片からなっており、それぞれの前記水平部の対向する端部に、取り外し可能な結合部を備え、前記１対の金属片は、前記取り付け部を支点として、同一面内で回転して、開閉することを特徴とする、請求項１または２に記載の電源分岐器具。
【請求項４】
前記１対の金属片のそれぞれの前記垂直部に、前記バスダクトのアースバーに電気的に接続するアース用接続部を備えている、請求項３に記載の電源分岐器具。
【請求項５】
前記アース用接続部の、前記アースバーと接触する端部に鋸型の凹凸面を備えていることを特徴とする、請求項４に記載の電源分岐器具。
【請求項６】
前記１対の金属片のそれぞれの前記垂直部に、前記バスダクトハウジングの側面に固定される固定部を備えていることを特徴とする、請求項４または５に記載の電源分岐器具。
【請求項７】
前記１対の金属片のそれぞれの水平部が、前記バスダクトハウジングの対応する凹部に嵌めこまれる凸部を備えていることを特徴とする、請求項３に記載の電源分岐器具。
【発明の詳細な説明】
【技術分野】
【０００１】
この発明は、バスダクトから電源を分岐する際に使用されるプラグイン器具、ボルトオン器具、タップ器具等の電源分岐器具に関する。
【背景技術】
【０００２】
高層ビル等の構造物では、電気幹線路を構成するためにバスダクトが使用されている。バスダクトは通常ケーブル等とは異なり、大きな荷重、剛性を有している。一般にバスダクトとは、電気導体の周囲を絶縁材で覆って構成した導体をハウジングの内部に複数収納保持するものである。このバスダクトは、複数のケーブルを束ねて配線する配線システムと比較して、低インピーダンスでかつ漏洩磁束防止などに極めて優れた機能を有することから、工場施設やビルの主電力供給ラインなどに広く用いられている。
【０００３】
従来、バスダクトとして、複数の帯状または丸線状の導体と、導体を収納するハウジングと、ハウジング内の空間を複数個の空間に分離する複数の分離部材とを備えたバスダクトが使用されている（所謂空気絶縁型バスダクト）。上述した分離部材は、ハウジングと導体との間に形成される空間、および、複数の導体の相互の間に形成される空間を、複数の空間に分離するバスダクトである。上述した導体は、電気導体と、電気導体の周面に設けられ、他の電気導体と電気的に分離するための絶縁体とを備えている。
【０００４】
更に、バスダクトとして、板状の銅またはアルミニウムからなる各導体を各相毎に耐熱ＰＶＣ等の耐熱性を有する導体絶縁物で被覆し、それらを密着させて金属製のハウジングに組み込んでいる（所謂密着絶縁型バスダクト）。密着絶縁型バスダクトでは、プラグイン接続部において、導体間隔を拡開する等の処理が行われる。
【０００５】
上述したバスダクトハウジングの一面には、プラグインホールが設けられている。プラグインホールには、プラグイン器具、ボルトオン器具、タップ器具等が取り付けられて、バスダクトから電源を分岐する。電源分岐装置としてのプラグイン器具について具体的に説明する。図１１に従来のプラグイン器具の断面図を示す。図１２および図１３は、それぞれバスダクトのプラグインホールに従来のプラグイン器具を装着する状況を説明する断面図である。
【０００６】
図１１に示すように、従来のプラグイン器具１００は、函体１０１の一方の端部から突出する導電性接続部材１０２の両側端に取り付けられた固定金具１０３、および、所定間隔をあけて導電性接続部材１０２を保護する蓋部１０４を備えている。プラグイン器具１００をプラグインホール内の導体と接続する操作以外では、固定金具１０３に蓋部１０４が閉じられた状態である。プラグイン器具１００をプラグインホールに装着するときには、蓋部１０４が開かれて導電性クリップ状部材１０２が露出する。
【０００７】
固定金具１０３の概ね中央部にはネジ１０５が設けられて、プラグイン器具１００とバスダクト１１０の接地（アース）が行われる。バスダクト１１０のハウジング１１１には、プラグイン器具が装着されるプラグインホールが設けられ、所定間隔で配置された導体１１２が露出している。露出した導体１１２が、プラグイン器具１００の導電性クリップ状部材１０２に嵌め込まれ、電気的に接続される。
【先行技術文献】
【特許文献】
【０００８】
【特許文献１】特開２００４−１０４８９６号公報
【特許文献２】特開２００５−２２９６５６号公報
【発明の概要】
【発明が解決しようとする課題】
【０００９】
図１２に示す従来のプラグイン器具１００においては、接地用のネジ１０５が固定金具の内側に突出しているので、プラグイン器具をバスダクトのプラグインホールに差し込まれるときに、バスダクトハウジングに引っ掛かり、装着ができない。従って、プラグイン器具をプラグインホールに差し込むときに、ネジの先端が固定金具内面と同一になるように緩めるか、または、ネジを固定金具から取り外す必要がある。その際には、取り付け後、接地を完全な状態にするために、ネジを締め付けなければならないという問題点がある。
【００１０】
また、図１３に示すように、プラグイン器具１００をプラグインホールに装着するときに、誤って金属製の固定器具１０３の先端部１０６がバスダクト１１０内の導体１１２と接触して、感電する恐れがある。プラグイン器具１００は、通常工事現場で取り付けられることが多く、夜間にも行われる場合があり、バスダクト１１０内の導体１１２とプラグイン器具１００の導電性クリップ状部材１０２が確実に接続されることが困難である。
【００１１】
従って、本発明の目的は、バスダクトのプラグインホールに位置する導体とプラグイン器具、ボルトオン器具、タップ器具等の電源分岐器具の導電性接続部材の間の電気的な接続が容易に行われ、且つ、接続されたプラグイン器具がバスダクトから外れないように確実に保持することができる、電源分岐器具を提供することにある。
【課題を解決するための手段】
【００１２】
上記の課題を解決するために、プラグイン器具、ボルトオン器具、タップ器具等の電源分岐器具の導電性接続部材が設けられた一方の端部に、それぞれの取り付け部を支点として、回転によって開閉する１対の対称な固定器具を設け、開けられたときに、導電性接続部材が露出して、プラグインホール内の導体に容易に接続され、閉じられたときに、固定器具が、プラグイン器具、ボルトオン器具、タップ器具等の電源分岐器具が装着されたバスダクトハウジングの外側を覆うようにして保持するように設定すると、固定器具の開閉によって、バスダクトの導体とプラグイン器具、ボルトオン器具、タップ器具等の電源分岐器具の導電性接続部材とを容易に接続することができ、装着されたプラグイン器具をバスダクトに、脱落することなく確実に固定することができることが判明した。
【００１３】
更に、固定金具が、それぞれバスダクトハウジングの上面に沿って平行に延びる水平部と、バスダクトハウジングの側面に沿って平行に延びる垂直部と、函体に回転可能に取り付ける取り付け部を備えた、概ねコの字形の１対の対称的な金属片であり、それぞれの水平部の対向する端部に、取り外し可能なロック式結合部を備えていると、バスダクトハウジングを覆うようにした状態で閉じられた１対の金属片は、ロックされたまま外れることなく強固に固定されることが判明した。
【００１４】
この発明の電源分岐器具の第１の態様は、
電源分岐用導体を収納する函体と、
前記函体の一方の端部に配置され、プラグインホールに挿入されて、バスダクト内の導体と電気的に接続される少なくとも１つの導電性接続部材と、
前記函体の一部に設けられ、電気的な接続・遮断を行う開閉器と、
前記バスダクト内の導体と前記導電性接続部材が電気的に接続された状態で、バスダクトハウジングの外周部を覆うように配置されて、前記函体を前記バスダクトに固定する、開閉可能な固定金具とを備えた、電源分岐器具である。
【００１５】
この発明の電源分岐器具の第２の態様は、前記函体の側面に開口が設けられて、前記導電性接続部材が配置されていることを特徴とする、電源分岐器具である。
【００１６】
この発明の電源分岐器具の第３の態様は、前記固定金具は、それぞれバスダクトハウジングの上面に沿って平行に延びる水平部と、バスダクトハウジングの側面に沿って平行に延びる垂直部と、前記函体に回転可能に取り付ける取り付け部を備えた、概ねコの字形の１対の対称的な金属片からなっており、それぞれの前記水平部の対向する端部に、取り外し可能な結合部を備え、前記１対の金属片は、前記取り付け部を支点として、同一面内で回転して、開閉することを特徴とする、電源分岐器具である。
【００１７】
この発明の電源分岐器具の第４の態様は、前記１対の金属片のそれぞれの前記垂直部に、前記バスダクトのアースバーに電気的に接続するアース用接続部を備えている、電源分岐器具である。
【００１８】
この発明の電源分岐器具の第５の態様は、前記アース用接続部の、前記アースバーと接触する端部に鋸型の凹凸面を備えていることを特徴とする、電源分岐器具である。
【００１９】
この発明の電源分岐器具の第６の態様は、前記１対の金属片のそれぞれの前記垂直部に、前記バスダクトハウジングの側面に固定される固定部を備えていることを特徴とする、電源分岐器具である。
【００２０】
この発明の電源分岐器具の第７の態様は、前記１対の金属片のそれぞれの水平部が、前記バスダクトハウジングの対応する凹部に嵌めこまれる凸部を備えていることを特徴とする、電源分岐器具である。
【発明の効果】
【００２１】
この発明のプラグイン器具、ボルトオン器具、タップ器具等の電源分岐器具は、電源分岐に際して操作が容易で、誤動作による感電を防止し、装着されたプラグイン器具、ボルトオン器具、タップ器具等の電源分岐器具をバスダクトに確実に固定することができ、脱落防止等の安全性を高めることができる。
【００２２】
この発明のプラグイン器具、ボルトオン器具、タップ器具等の電源分岐器具によると、プラグイン器具、ボルトオン器具、タップ器具等の電源分岐器具の導電性接続部材が設けられた一方の端部に、それぞれの取り付け部を支点として、回転によって開閉する１対の対称な固定器具を設け、開けられたときに、導電性接続部材が露出して、プラグインホール内の導体に容易に接続され、閉じられたときに、固定器具が、プラグイン器具、ボルトオン器具、タップ器具等の電源分岐器具が装着されたバスダクトハウジングの外側を覆うようにして保持するように設定されているので、固定器具の開閉によって、バスダクトの導体とプラグイン器具、ボルトオン器具、タップ器具等の電源分岐器具の導電性接続部材とを容易に接続することができ、装着されたプラグイン器具をバスダクトに、脱落することなく確実に固定することができる
【００２３】
更に、この発明のプラグイン器具、ボルトオン器具、タップ器具等の電源分岐器具によると、固定金具が、それぞれバスダクトハウジングの上面に沿って平行に延びる水平部と、バスダクトハウジングの側面に沿って平行に延びる垂直部と、函体に回転可能に取り付ける取り付け部を備えた、概ねコの字形の１対の対称的な金属片であり、それぞれの水平部の対向する端部に、取り外し可能なロック式結合部を備えているので、バスダクトハウジングを覆うようにした状態で閉じられた１対の金属片は、ロックされたまま外れることなく強固に固定することができる。
【図面の簡単な説明】
【００２４】
【図１】図１は、この発明のプラグイン器具を説明する正面図である。
【図２】図２は、図１に示すプラグイン器具の側面図である。
【図３】図３は、空気絶縁型バスダクトの１つを示す図である。図３（ａ）は断面図、図３（ｂ）は斜視図である。
【図４】図４は、プラグインホールを備えたバスダクトハウジングを説明する図である。
【図５】図５は、バスダクトのプラグインホールに装着されたこの発明のプラグイン器具を説明する正面図である。
【図６】図６は、プラグイン器具がバスダクトのプラグインホールに装着され、固定金具が閉じられた状態を説明する正面図である。
【図７】図７は、図６に示した状態の側面図である。
【図８】図８は、バスダクトに装着されたプラグイン器具を説明する部分拡大図である。
【図９】図９は、バスダクトのアースバーと、アース用ボルト７の先端部の接触状態を説明する部分拡大図である。
【図１０】図１０は、別の態様のプラグイン器具を説明する図である。
【図１１】図１１は、従来のプラグイン器具の断面図である。
【図１２】図１２は、バスダクトのプラグインホールに従来のプラグイン器具を装着する状況を説明する断面図である。
【図１３】図１３は、バスダクトのプラグインホールに従来のプラグイン器具を装着する状況を説明する断面図である。
【発明を実施するための形態】
【００２５】
この発明の電源分岐器具を、図面を参照しながら説明する。
この発明の電源分岐器具の１つの態様は、電源分岐用導体を収納する金属製の函体と、函体の一方の端部に配置され、プラグインホールに挿入されて、バスダクト内の導体と電気的に接続される少なくとも１つの導電性接続部材と、函体の一部に設けられ、電気的な接続・遮断を行う開閉器と、バスダクト内の導体と導電性接続部材が電気的に接続された状態で、バスダクトハウジングの外周部を覆うように配置されて、函体をバスダクトに固定する開閉可能な固定金具とを備えた、電源分岐器具である。以下、電源分岐装置の１つであるプラグイン器具について具体的に説明する。
【００２６】
図１は、この発明のプラグイン器具を説明する正面図である。図２は、図１に示すプラグイン器具の側面図である。
図１に示すように、この発明のプラグイン器具１は、電源分岐用導体を収納する金属製の函体２と、函体２の一方の端部（プラグインホールに面する側の端部）に設けられた導電性接続部材（例えば、クリップ状部材）（図では３本の導体に対応可能）３と、函体２の一部に設けられ、電気的な接続・遮断を行う開閉器１７と、函体２の導電性接続部材３側の端部に設けられた固定金具４とを備えている。
【００２７】
固定金具４は、それぞれ水平部９−１、９−２と、垂直部１０−１、１０−２とを備えた１対の対称的な金属片５、６からなっており、それぞれの金属片５、６はその基部に取り付け部８を備えて、函体２に回転可能に取り付けられている。即ち、それぞれの基部に設けられた取り付け部８を支点として、２つの金属片５、６が外側に向かって回転して、導電性接続部材３が露出し、導電性接続部材３の周辺が完全に開放される。このようにして、導電性接続部材３とプラグインホール内の導体との接続作業が容易になる。図１に示す状態は、固定金具４が閉じられた状態である。閉じられた状態の固定金具４内に、後述するように、バスダクトが収納される空間が形成されている。
【００２８】
２つの金属片５、６のそれぞれの水平部９−１、９−２の相対する端部には、取り外し可能な結合部１１が設けられている。結合部はロック式であると結合の確認ができるので、施工確認性が向上し、好ましい。通常、バスダクトは建物上部に配置されるので、施工確認性は重要である。結合部１１は、一方の端部には例えば突起部１３が設けられ、他方の端部には対応するワイヤ部１２が設けられた所謂パチン錠等の工具を使用しないで施工が可能な機能を備えている。
金属片５、６の垂直部１０−１、１０−２の内側には、バスダクトとプラグイン器具１の接地を行うアース用接続部７例えばボルトを備えている。
【００２９】
図２に示すように、１対の金属片５、６は、函体２の側面に沿って回転して開閉している。図２に示す態様においては、固定金具４は、２組からなり、対向する２つの側面のそれぞれに１対の金属片５、６が設けられている。更に、図２に示すように、１対の金属片５、６のそれぞれの垂直部１０−１、１０−２の概ね中央部分に、垂直部１０の面と直交する面を備えた固定板部１４を備えている。固定板部１４は例えばネジ等によってバスダクトハウジングの側面に固定される。即ち、バスダクトハウジングを覆うようにして固定する固定金具４を、更にその固定板部１４によってハウジングの側面にネジ等によって固定する。なお、導電性接続部材３は、バスダクト内の導体と電気的に接続されるために必要な大きさ（長さ・幅）を有している。
【００３０】
図３は、空気絶縁型バスダクトの１つを示す図である。図３（ａ）は断面図、図３（ｂ）は斜視図である。図に示す態様のバスダクト２０は、３本の帯状の導体２２が、プラスチック等の絶縁物２３によって所定間隔で配置されて、バスダクトハウジング２１に収納されている。バスダクトハウジング２１は、側面部において上下に２つの部分に分割され、内部に導体２２および絶縁物２３を収納した状態で上下部分を嵌合し、側面部に形成された凹部２４に後述するバスダクトのアースバーが嵌め込まれて固定される。
【００３１】
図４は、プラグインホールを備えたバスダクトハウジングを説明する図である。図４に示すように、バスダクトハウジング２１の対向する面（表面、裏面）には、電源分岐のために、プラグイン器具１が装着されるプラグインホール２５が所定間隔で複数個形成されている。プラグインホールは、通常蓋で閉じられ、使用時に蓋を取り外して、プラグイン器具１が装着される。
【００３２】
図５は、バスダクトのプラグインホールに装着されたこの発明のプラグイン器具を説明する正面図である。
図５に示すように、図１に示したプラグイン器具１の固定金具４を形成する１対の対称的な金属片５、６を、取り付け部８を支点として矢印で示すようにそれぞれ外側に回転して開いた状態で、プラグイン器具をプラグインホール内に挿入し、露出した導電性接続部材３が、導体２２を挟み込むように装着される。
【００３３】
即ち、図５に示すように、開放され露出した導電性接続部材３がプラグインホール内に差し込まれて、導電性接続部材３がバスダクトの導体２２を両側から挟むようにして、導体２２と導電性接続部材３が電気的に接続される。プラグイン器具１の函体２の端部とバスダクトハウジング２１の下面とが密着した状態で、バスダクト２０とプラグイン器具１が結合される。１対の金属片５、６の開閉は、対向する水平部９−１、９−２の端部の間の間隔が、少なくともバスダクトの幅よりも広くなるように設定し、金属片とバスダクトハウジングが接触しないことが必要である。
【００３４】
図６は、プラグイン器具がバスダクトのプラグインホールに装着され、固定金具が閉じられた状態を説明する正面図である。図５に示した、固定金具４の１対の金属片５、６が開かれて、プラグイン器具１がプラグホール内の導体を挟むように装着された状態から、固定金具４の１対の金属片５、６が、基部にある取り付け部を支点として、それぞれ内側に向かって回転して、閉じられる。
【００３５】
更に、閉じられた１対の金属片５、６の水平部の対向する端部に設けられた結合部１１が閉じられる。図７に示すように、固定金具４が表面と裏面の２箇所に設けられて、装着されたプラグイン器具１がバスダクトに２０に固定される。これによって、プラグイン器具がバスダクトから外れることはなく、落下を確実に防止することができる。
【００３６】
詳細は後述するが、図６に示すように、固定金具４の１対の金属片５、６の垂直部の概ね中央内側に設けられたアース用ボルト７の先端部が、バスダクトハウジング２１に設けられたアースバーに接触する。固定金具４の１対の金属片５、６の水平部９−１、９−２は、バスダクトハウジング２１の上面に概ね平行に配置されている。固定金具４の１対の金属片５、６の垂直部１０−１、１０−２は、バスダクトハウジング２１の側面に概ね平行に配置されている。このように、固定金具４の内側は、バスダクトハウジングに密着した状態で、上述した結合部１１によって、取り外し可能にロックされる。
【００３７】
更に、図７に示すように、１対の金属片５、６の概ね中央部内側に、金属片と直角に設けられた固定板部１４が、バスダクトハウジング２１の側面にネジ等によって固定される。即ち、固定金具４の結合部１１および固定板部１４によって、プラグイン器具がバスダクトに確実に固定される。固定金具４の１対の金属片は板状の部材であって、その強度を高めるために、中央部にエンボス加工を施してもよい。金属片５、６は、上述したように、函体の１つの面に沿って回転して開閉するので、コンパクトで操作が容易である。
【００３８】
図７は、図６に示した状態の側面図で、プラグイン器具をバスダクト鉛直下方に取付けている図である。従来、プラグイン器具をバスダクトの鉛直下方に取り付ける場合、プラグイン器具側(下側)からバスダクト(上側)に向かって、ネジなどを用いて取付ける構造が一般的であったが、図７に示すように、固定金具を用いて、バスダクトを挟み込むように取付けるため、従来のプラグイン器具よりも、強固な取付けが可能である。従って、特に、プラグイン器具をバスダクトの鉛直下方に取り付ける場合、プラグイン器具設置の省スペース化が図れ、この発明のプラグイン器具の構造によって高い効果が得られる。
【００３９】
図８は、バスダクトに装着されたプラグイン器具を説明する部分拡大図である。図９は、バスダクトのアースバーと、アース用ボルト７の先端部の接触状態を説明する部分拡大図である。
【００４０】
図８に示すように、固定金具４の１対の金属片５、６は、水平部９−１、９−２がバスダクトハウジングの上面と密着し、垂直部１０−１、１０−２がバスダクトハウジングの側面と密着した状態で固定されている。上下に２つの部分に分割されるバスダクトハウジングの側面には、それぞれ凹部２４が設けられて、アースバー１５が装着されている。アースバーは概ね同一幅同一厚さの板状部材である。
【００４１】
１対の金属片５、６の水平部９−１、９−２の先端部は下方に突き出た部分を備えており、その部分でバスダクトハウジングの対応する上面の突起部を押して、固定した状態で、結合部がロックされている。更に、１対の金属片のそれぞれの水平部が、バスダクトハウジングの上面の凹部に嵌めこまれる凸部を備えていてもよい。このように、水平部に凸部を設けることによって、固定が容易になる。なお、上述したように、プラグイン器具１の函体２の上端部はバスダクトハウジング２１の下面に押し付けられている。バスダクトの３本の導体２２は、それぞれ導電性接続部材３に挿入されて電気的に接続されている。
【００４２】
図９に示すように、上下の２つのバスダクトハウジング２１が重ね合わされて、側面に形成される凹部２４に、バスダクトのアースバー１５が装着されている。バスダクトハウジング２１の側面に、アースバー１５を囲むように形成された鈎形部分の先端部の間の間隙に、金属片５、６の垂直部１０−１、１０−２の内側に設けられたアース用ボルト７の先端部が装着される。アース用ボルト７の先端部１６は、図に示すように、鋸型の凹凸面を備えている。
【００４３】
なお、導電性接続部材３と開閉器１７との間、開閉器１７と（図示しない）枝回路バスダクト間はそれぞれケーブルによって接続されている。導電性接続部材３と枝回路バスダクトとの間の電気的な接続・遮断が開閉器１７によって行われる。
【００４４】
図１０は、別の態様のプラグイン器具を説明する図である。図１０（ａ）はプラグイン器具の正面図である。図１０（ｂ）はプラグイン器具の上面図である。図１０（ｃ）はプラグイン器具の側面図である。図１に示す態様では、函体の長軸方向に導電性接続部材が設けられていたが、図１０に示す態様では、函体の短軸方向に導電性接続部材が設けられている。この態様によると、バスダクトハウジングと函体が広い面積で接触するので、プラグイン器具の装着がより安定的である。図１０に示す態様のプラグイン器具の構成・機能は、２つの固定金具の間の間隔が長くなる以外は、実質的に図１に示す態様と同一である。
【００４５】
上述したように、この発明によると、バスダクトのプラグインホールに位置する導体とプラグイン器具の導電性接続部材の間の電気的な接続が容易に行われ、且つ、接続されたプラグイン器具がバスダクトから外れないように確実に保持することができる、電源分岐器具を提供することができる。
【符号の説明】
【００４６】
１  プラグイン器具
２  函体
３  導電性接続部材
４  固定金具
５  金属片
６  金属片
７  アース用接続部
８  取り付け部
９  水平部
１０  垂直部
１１  結合部
１２  ワイヤ部
１３  突起部
１４  固定板部
１５  アースバー
１６  アース用接続部の先端部
１７  開閉器
２０  バスダクト
２１  バスダクトハウジング
２２  導体
２３  絶縁物
２４  凹部
２５  プラグインホール
【図１】
2011024320.tif 000003
【図２】
2011024320.tif 000004
【図３】
2011024320.tif 000005
【図４】
2011024320.tif 000006
【図５】
2011024320.tif 000007
【図６】
2011024320.tif 000008
【図７】
2011024320.tif 000009
【図８】
2011024320.tif 000010
【図９】
2011024320.tif 000011
【図１０】
2011024320.tif 000012
【図１１】
2011024320.tif 000013
【図１２】
2011024320.tif 000014
【図１３】
2011024320.tif 000015